【手続補正書】
【提出日】平成20年12月12日(2008.12.12)
【手続補正１】
【補正対象書類名】特許請求の範囲
【補正対象項目名】全文
【補正方法】変更
【補正の内容】
【特許請求の範囲】
【請求項１】
第１のバージョンの文書データの各ページについて領域分割処理を行って得られた各ページのブロックの情報を取得する取得手段と、
第２のバージョンの文書データの各ページについて領域分割処理を行って得られたブロックの情報と前記取得手段で取得されたブロックの情報に基づいて、前記第１と第２のバージョン間で一致するブロックと一致しないブロックとを判別する判別手段と、
前記第１のバージョンの文書データ中の一致しないと判別されたブロックを含むページに存在する一致すると判別されたブロックと、前記第２のバージョンの文書データ中の一致しないと判別されたブロックとを抽出する抽出手段と、
前記抽出手段で抽出されたブロックを、前記第２のバージョンの文書データの全体におけるブロックの並びが維持されるようにレイアウトしてページを生成する生成手段と、
前記生成手段で生成されたページを出力する出力手段とを備えることを特徴とする文書管理装置。
【請求項２】
前記生成手段は、生成されるページ数が最小となるように、前記抽出手段で抽出したブロックのページへのレイアウトを決定することを特徴とする請求項１に記載の文書管理装置。
【請求項３】
前記ブロックの情報は、ブロック毎に、画像内容の種別と大きさを示す付属情報を含み、
前記判別手段は、前記判別の過程においてブロック間の前記付属情報の比較を行うことを特徴とする請求項１に記載の文書管理装置。
【請求項４】
前記取得手段は、前記第１のバージョンの文書データのプリント出力を光学的に読み取って得られた各ページの画像について領域分割処理を行い、ブロックの情報を取得することを特徴とする請求項１に記載の文書管理装置。
【請求項５】
前記文書データのバージョン毎のブロックの情報を格納する格納手段と、
前記第２のバージョンを指定する指定手段とを更に備え、
前記第２のバージョンのブロックの情報が、前記指定手段で指定されたバージョンのブロックの情報を前記格納手段から読み出すことにより取得されることを特徴とする請求項１乃至４のいずれか１項に記載の文書管理装置。
【請求項６】
前記一致しないと判別されたブロックを含むページが除外された前記第１のバージョンの文書において、前記第１及び第２のバージョンの文書データにおけるブロックの並びに基づいて前記生成されたページの挿入位置を決定する決定手段と、
前記決定手段で決定された前記挿入位置の前後のページのページ番号に基づいて、前記挿入位置と各ページの順序を示すページ番号を前記生成されたページに付与する付与手段とを更に備えることを特徴とする請求項１に記載の文書管理装置。
【請求項７】
前記取得手段は、前記第１のバージョンの文書データのプリント出力を光学的に読み取って得られた各ページの画像について領域分割処理を行い、ブロックの情報を取得するとともに、前記付与手段による利用のために文字認識処理により各ページのページ番号を取得することを特徴とする請求項６に記載の文書管理装置。
【請求項８】
前記第１のバージョンの文書における前記挿入位置と、前記生成されたページとの関係を表示する表示手段を更に備えることを特徴とする請求項６又は７に記載の文書管理装置。
【請求項９】
文書データのバージョン毎に各ページを構成するブロックを示すブロックの情報を格納する格納手段と、
第１のバージョン及び第２のバージョンをそれぞれ指定する指定手段とを更に備え、
前記取得手段は、前記指定手段で前記第１のバージョンとして指定されたバージョンの文書データの各ページのブロックの情報を前記格納手段から取得し、
前記判別手段における前記第２のバージョンのブロックの情報は、前記指定手段で前記第２のバージョンとして指定されたバージョンのブロックの情報を前記格納手段から読み出すことにより取得されることを特徴とする請求項１に記載の文書管理装置。
【請求項１０】
前記指定手段は、プリント出力された文書の予め指定された部位に対して文字認識処理を行なうことにより、当該文書のバージョンを認識し、これを前記第１のバージョンとすることを特徴とする請求項９に記載の文書管理装置。
【請求項１１】
取得手段が、第１のバージョンの文書データの各ページについて領域分割処理を行って得られた各ページのブロックの情報を取得する取得工程と、
判別手段が、第２のバージョンの文書データの各ページについて領域分割処理を行って得られたブロックの情報と前記取得工程で取得されたブロックの情報に基づいて、前記第１と第２のバージョン間で一致するブロックと一致しないブロックとを判別する判別工程と、
抽出手段が、前記第１のバージョンの文書データ中の一致しないと判別されたブロックを含むページに存在する一致すると判別されたブロックと、前記第２のバージョンの文書データ中の一致しないと判別されたブロックとを抽出する抽出工程と、
生成手段が、前記抽出工程で抽出されたブロックを、前記第２のバージョンの文書データの全体におけるブロックの並びが維持されるようにレイアウトしてページを生成する生成工程と、
出力手段が、前記生成工程で生成されたページを出力する出力工程とを有することを特徴とする文書管理方法。
【請求項１２】
決定手段が、前記一致しないと判定されたブロックを含むページが除外された前記第１のバージョンの文書において、前記第１及び第２のバージョンの文書データにおけるブロックの並びに基づいて前記生成されたページの挿入位置を決定する決定工程と、
付与手段が、前記決定工程で決定された前記挿入位置の前後のページのページ番号に基づいて、前記挿入位置と各ページの順序を示すページ番号を前記生成されたページに付与する付与工程とを更に有することを特徴とする請求項１１に記載の文書管理方法。
【請求項１３】
格納制御手段が、文書データのバージョン毎に各ページを構成するブロックを示すブロックの情報を格納手段に格納する格納工程と、
指定手段が、第１のバージョン及び第２のバージョンをそれぞれ指定する指定工程とを更に備え、
前記取得工程では、前記指定工程で前記第１のバージョンとして指定されたバージョンの文書データの各ページのブロックの情報を前記格納手段から取得し、
前記判別工程における前記第２のバージョンのブロックの情報は、前記指定工程で前記第２のバージョンとして指定されたバージョンのブロックの情報を前記格納手段から読み出すことにより取得されることを特徴とする請求項１１又は１２に記載の文書管理方法。
【請求項１４】
前記指定工程では、プリント出力された文書の予め指定された部位に対して文字認識処理を行なうことにより、当該文書のバージョンを認識し、これを前記第１のバージョンとすることを特徴とする請求項１３に記載の文書管理方法。
【請求項１５】
請求項１１乃至１４のいずれか１項に記載の文書管理方法の各工程を、コンピュータに実行させるためのコンピュータプログラム。
【手続補正２】
【補正対象書類名】明細書
【補正対象項目名】００１６
【補正方法】変更
【補正の内容】
【００１６】
また、上記の目的を達成するための本発明による文書管理装置は、
前記一致しないと判別されたブロックを含むページが除外された前記第１のバージョンの文書において、前記第１及び第２のバージョンの文書データにおけるブロックの並びに基づいて前記生成されたページの挿入位置を決定する決定手段と、
前記決定手段で決定された前記挿入位置の前後のページのページ番号に基づいて、前記挿入位置と各ページの順序を示すページ番号を前記生成されたページに付与する付与手段とを更に備える。